(57)【要約】【課題】タイルカーペットを熟練を要せず簡単に隙間なく床面に敷設できるように予め裁断調製して提供することである。【解決手段】敷設用図面１１を設けた敷設指示書１０と、敷設に必要なタイルカーペット群２０をセットにし、前記図面１１には、標準タイルカーペットと裁断された異形タイルカーペットの配置が表示され、全ての異形タイルカーペットにはそれぞれ異なった符号が表示されている。前記タイルカーペット群２０は標準タイルカーペット２１と異形タイルカーペット２２から成り、異形タイルカーペット２１には、それぞれ図面１１の異形タイルカーペットの符号に対応する符号が表示されている。【選択図】図１
2018082756.tif 000002
【特許請求の範囲】
【請求項１】
敷設用図面を設けた敷設指示書と、敷設に必要なタイルカーペット群を含む敷設用タイルカーペットセットであって、前記図面には敷設すべき床面の輪郭内に標準タイルカーペットと裁断された異形タイルカーペットの配置が表示され、全ての異形タイルカーペットにはそれぞれ異なった符号が表示され、前記タイルカーペット群は標準タイルカーペットと異形タイルカーペットより成り、この異形タイルカーペットにはそれぞれ前記図面に表示された前記符号に対応する符号が表示されたタイルカーペットセット。
【請求項２】
前記図面の標準タイルカーペットにそれぞれ異なる符号が表示され、この符号に対応する符号がそれぞれ前記タイルカーペット群の標準タイルカーペットに表示された請求項１に記載のタイルカーペットセット。
【請求項３】
前記図面に全体のタイルカーペットの敷設方向を示す表示が設けられ、前記タイルカーペット群の少くとも異形タイルカーペットのそれぞれに敷設方向を示す表示が設けられた請求項１にまたは２に記載のタイルカーペットセット。
【請求項４】
前記床面の輪郭は手書き原図に対してカメラの画像及びレーザ測定装置の画像による修整を加えて作製されたものである請求項１〜３のいずれかに記載のタイルカーペットセット。
【請求項５】
床面の手書き原図にカメラの画像及びレーザ測定装置の画像によって修整を施してタイルカーペットを敷設すべき床面の輪郭を描き、この輪郭内に標準タイルカーペットと裁断すべき異形タイルカーペットの配置を描いて敷設用図面を作製する第１の工程と、
前記異形タイルカーペットのそれぞれに異なった符号を記入し、かつ異形タイルカーペットの個別図を作製する第２の工程と、
前記異形タイルカーペットの個別図に基づいて標準タイルカーペットを裁断することによって異形タイルカーペットを作製し、かつ前記符号に対応する符号を裁断した異形タイルカーペットに表示する第３の工程と、から成る敷設用タイルカーペットセットの調製方法。
【請求項６】
前記第２の工程において、タイルカーペットの敷設方向を敷設用図面内に記入し、かつ第３の工程において、裁断した異形タイルカーペットのそれぞれに前記敷設方向と同じ方向を示す表示を設ける請求項５に記載の敷設用タイルカーペットセットの調製方法。
【発明の詳細な説明】
【技術分野】
【０００１】
この発明は、タイルカーペットを施工業者によらず一般家庭でも容易に敷設できるように予め裁断して調製したセットとタイルカーペットセットを調製する方法に関する。
【背景技術】
【０００２】
従来、一般家庭や事務所などにおいて、タイルカーペットを敷設する場合、専門業者（所謂施工職人）が、部屋の床面積に必要な概略枚数のタイルカーペットを現場に持ち込んで、床面の形状に合せて裁断しながら施工することが普通であった。しかしながら、床面の隅角部が複雑な平面形状になっている場合があり、また側辺部も直線に限らず曲折している場合があって、これらの形状にぴったりと合致するようにカーペットを敷設するためには、施工業者の高い熟練技能が必要である。特にタイルカーペットは、例えば５０ｃｍ×５０ｃｍの方形で個々に独立しているため、床面の側辺から隅角部に至る連続した形状に合わせてタイルカーペットの裁断線を合致させ、かつ隣接するタイルカーペット間に全く隙間が生じないように敷設する必要があり、非常に高度の熟練性を要し、仕上り品質の安定性に問題がある。
【０００３】
また、カーペットを貼り換える場合、カーペット上に設置された家具などの置物がありこれらを移動させる必要が生じる。しかしながら、置物を一挙に他に移動して部屋の床を完全に空間にするのは困難な場合が多く、そのときには置物を床の他のスペースに移動させた後に、タイルカーペットを床の形状に合致させながら裁断して敷設作業を行なっているが、この作業は極めて手間がかかり、かつ置物を移動したその床の一部分だけで床面の側辺や隅角部の曲折線に合わせて裁断するため、他の部分との全体的な連続性、整合性が損われてタイルカーペット間に隙間や重なりが生ずるなどの問題がある。
【発明の概要】
【発明が解決しようとする課題】
【０００４】
そこで、この発明の課題は、タイルカーペットを熟練を要せず隙間なく床面に敷設できるように予め裁断調製して提供することである。
【課題を解決するための手段】
【０００５】
上記の課題を解決するために、この発明は、敷設用図面を設けた敷設指示書と、敷設に必要なタイルカーペット群を含む敷設用タイルカーペットセットにおいて、前記図面には敷設すべき床面の輪郭内に標準タイルカーペットと裁断された異形タイルカーペットの配置が表示され、全ての異形タイルカーペットにはそれぞれ異なった符号が表示され、前記タイルカーペット群は標準タイルカーペットと異形タイルカーペットより成り、この異形タイルカーペットにはそれぞれ前記図面に表示された前記符号に対応する符号が表示された構成を採用したのである。
【０００６】
前記図面の標準タイルカーペットにそれぞれ異なる符号を表示し、この符号に対応する符号をそれぞれ前記タイルカーペット群の標準タイルカーペットに表示することができる。また、前記図面に全体のタイルカーペットの敷設方向を示す表示を設け、前記タイルカーペット群の少くとも異形タイルカーペットのそれぞれに敷設方向を示す表示を設けるのがよい。さらに前記床面の輪郭は手書き原図に対してカメラの画像及びレーザ測定装置の画像による修整を加えることによって作製するのが好ましい。
【０００７】
この発明の敷設用タイルカーペットセットの調製方法は、床面の手書き原図にカメラの画像及びレーザ測定装置の画像によって修整を施してタイルカーペットを敷設すべき床面の輪郭を描き、この輪郭内に標準タイルカーペットと裁断すべき異形タイルカーペットの配置を描いて敷設用図面を作製する第１の工程と、前記異形タイルカーペットのそれぞれに異なった符号を記入し、かつ異形タイルカーペットの個別図を作製する第２の工程と、前記異形タイルカーペットの個別図に基づいて標準タイルカーペットを裁断することによって異形タイルカーペットを製作し、かつ前記符号に対応する符号を裁断した異形タイルカーペットに表示する第３の工程とから成る。
【０００８】
前記第２の工程において、タイルカーペットの敷設方向を敷設用図面内に記入し、かつ第３の工程において、裁断した異形タイルカーペットのそれぞれに前記敷設方向と同じ方向を示す表示を設けることができる。
【発明の効果】
【０００９】
この発明によれば、以上のように、敷設用図面と予め裁断された異形タイルカーペットを用意し、図面中の異形タイルカーペットと現物の異形タイルカーペットとに対応する符号を表示したので、多数の異形タイルカーペットがあってもその設置位置とそこに設置すべき異形タイルカーペットを簡単に選択できるため、家庭においても容易に敷設することができる。しかも敷設用図面は、室内に障害物があっても正確に床面の形状を反映するように作製されているので、タイルカーペットを床面にぴったりと隙間なく敷設することができる。そのほか、タイルカーペットの設置現場には、計測時だけ訪問すればよく、計測や敷設等によって複数回訪問する必要がない。
【図面の簡単な説明】
【００１０】
【図１】この発明の敷設用タイルカーペットセットを示す線図、
【図２】敷設用図面の平面図、
【図３】異形タイルカーペットの裏面図、
【図４】床面の輪郭を測定する方法を示す線図、
【図５】床面の手書き原図を示す平面図、
【図６】レーザ測定装置を用いた測定方法の一例を示す線図、
【図７】敷設用の床面図、
【図８】異形タイルカーペットの裁断用平面図、
【図９】種々の敷設形態を示す平面図である。
【発明を実施するための形態】
【００１１】
以下、この発明の実施形態を添付図面に基づいて説明する。図１に示すように、この発明の敷設用タイルカーペットセットは、敷設用図面１１を設けた敷設指示書１０と、タイルカーペット群２０より成り、タイルカーペット群２０は、基準形状及びサイズの標準タイルカーペット２１と標準タイルカーペットから予め裁断された異形タイルカーペット２２を含む。
【００１２】
前記指示書１０は、紙や不織布等にハードコピーされた記録媒体でもよいが、メモリースティックやＣＤ−ＲＯＭ等の電子的記録媒体を用いることができる。後者を用いる場合、タイルカーペットの敷設手順を影像で収納しておくことができる。勿論、両者を併用することができる。これらの記録媒体に記録された敷設用図面１１の一例を図２に示す。敷設すべき床面全体の輪郭１２は、後に詳述するように精密な計測によって描かれ、この輪郭１２内に、例えば正方形のタイルカーペットを碁盤目状に敷設する場合、敷設するべきタイルカーペットを図２のように配列する。図示のように、正方形の標準タイルカーペット１３は中央に配列され、それ以外で裁断が必要な異形タイルカーペット１４は周辺部に配列される。これらの異形タイルカーペット１４には、例えば丸印で囲んだ数字の符号１４ａで図面に表示されている。これらの符号１４ａは、勿論それぞれ異なった区別可能なものであればよく、数字以外の文字や記号またはそれらを混合したものを用いることができる。また、図面１１には、全体のタイルカーペットの敷設方向を示す矢印１５が表示されている。なお、標準タイルカーペット１３にも符号１３ａを表示しておくことができる。
【００１３】
前記標準タイルカーペット２１（１３）は、正方形以外にも種々の形状のものがある。それについては後述する。前記異形タイルカーペット２２（１４）は、標準タイルカーペット２１を図３に示される通り裁断して形成されたものであって、図３は異形タイルカーペット２２の裏面図を示す。図示のように、全ての異形タイルカーペット２２には、図２の符号１４ａに対応する符号２４ａが表示されている。また、敷設方向を示す矢印２５ａも同様に全ての異形タイルカーペット２２に表示されている。前述と同様に、標準タイルカーペット２１にも符号と矢印を表示しておくことができる。
【００１４】
上述のようにして敷設用タイルカーペットセットを用意すると、図面１１の符号１４ａに合わせて同じ符号２４ａを有するタイルカーペットを選択し、図面１１に示された個所に敷設すればよく、何ら形状合わせの必要もなく容易に敷設工事を行なうことができる。なお、図３はタイルカーペットの裏面図を示したが表面図でもよい。また、符号２４ａまたは矢印２５ａをタイルカーペットの表面に付することができる。その場合は、例えば粘着剤層を設けた紙に符号２４ａまたは矢印２５ａを記入してタイルカーペットに貼り付ける方法がある。
【００１５】
次に前記タイルカーペット群２０の調製方法を説明する。まず、図２に示す敷設用図面１１を用意する必要がある。そこで、図４に示すように、巻尺や物差等の採寸用具Ｍを用いて作成した手書き原図１、デジタルカメラＣで撮影した画像の電子記録媒体２、レーザ測定装置Ｄによって測定した画像の電子記録媒体３からのデータを、ＣＡＤソフトウエアがインストールされたパーソナルコンピュータ４に入力する。
【００１６】
前記手書き原図１には、図５に示すように、採寸用具Ｍによって計測した床面の側辺１ａの寸法が記入されている。しかしながら、図中サークルで示した屈曲部１ｂは、例えば家具や異物等の障害物があって実測が困難な個所である。その場合には、デジタルカメラＣによって撮影し、その画像をメモリースティック等の電子記録媒体２によってコンピュータ４に入力する。さらに正確に床面の輪郭を計測するため、レーザ測定装置Ｄ（例えばＬｅｉｃａ  ３Ｄ  Ｄｉｓｔｏ、ライカジオシステムズ社，Ｌａｓｅｒ  Ｓｃａｎｎｅｒ
Ｆｏｃｕｓ、ＦＡＲＯ社）を用いる。これは、図６に示すように、回転するヘッドＤ２からレーザを照射して壁面Ｗからの反射光により室内の全体形状を計測するものであって、室内に箪笥等の大きな障害物Ｇがあってその部分が屈曲部１ｃになっていても計測可能である。このレーザ測定装置ＤはコントローラＤ１によって制御され、計測した画像はメモリースティックやＣＤ−ＲＯＭ等の電子記録媒体３に記録される。また、コントローラＤ１から直接コンピュータ４にオフラインで送信することもできる。
【００１７】
ここで、図６に示すように、床面Ｆに対する壁面Ｗの角度Ａが直角でない場合、壁面Ｗの上下２点Ｗ１とＷ２のレーザ測定装置Ｄからの距離を測定することよって、角度Ａが得られる。従って、室内全体または一部の壁面Ｗが床面Ｆに対して傾斜していたとしても、壁面ＷのＷ１点で測定した形状を直角に対する角度Ａの増減分だけ補正すれば、正しい床面Ｆの形状が得られる。
【００１８】
図５に示す手書き原図１は、スキャナから例えばＤＸＦ形式のデータとしてコンピュータ４に入力し、図４に示すカメラＣ及びレーザ測定装置Ｄの電子記録媒体２、３の画像は、同様のＤＸＦデータとしてコンピュータ４に入力し、ＣＡＤソフトウエアを用いて合成操作を行ない、必要な形状修整、ここでは主としてカメラＣから入力された屈曲部１ｂと、レーザ測定装置Ｄから入力された屈曲部１ｃとによる修整を原図１に施す。得られた床面図１１ａを図７に示す。この床面図１１ａ内に、タイルカーペット配置図１１ｂを記入する。図の場合は、５０ｃｍ×５０ｃｍのタイルカーペットを碁盤目状に配列する一例を示す。このとき、タイルカーペットの枚数をできるだけ少くするように配慮する。こうしてタイルカーペットを配列したとき、図の破線によって示される部分に隣接するタイルカーペットは、標準サイズのタイルカーペットを裁断して形成しなければならない。そこで図８に示すように、裁断すべきタイルカーペットのみを取り出した裁断図２２ａを作成する。この裁断図２２ａは、図１または図３に示す異形タイルカーペット２２の製作指示図面となるものであって、裁断現場に図７の床面図１１ａと共に交付される。また、図示省略したが、図２と同様に、図７の床面図１１ａにも裁断すべきタイルカーペットに符号を付しておき（これが敷設用図面１１の元になる）、図８の裁断図２２ａにも対応する符号と共に敷設方向を示す矢印を付しておく。裁断した異形タイルカーペット２２には、図３に示されたような符号２４ａと敷設方向を示す矢印２５ａが表示されることになる。なお、この図８は、異形タイルカーペットの表面図であるが、図３のような裏面図であってもよい。
【００１９】
前記タイルカーペットは、標準形状が正方形に限らない。長方形や三角形、その他の多角形であってもよく、曲線を含む種々な形状のものがある。また、敷設模様も碁盤目形状に限らず、図９に示すように、段違いにずらせたり傾斜させるなどがある。図９（Ｃ）は、曲線的なタイルカーペットを敷設した一例を示す。
【符号の説明】
【００２０】
１  手書き原図
１ａ  側辺
１ｂ、１ｃ  屈曲部
２、３  電子記録媒体
４  パーソナルコンピュータ
１０  敷設指示書
１１  敷設用図面
１１ａ  床面図
１１ｂ  タイルカーペット配置図
１２  輪郭
１３  標準タイルカーペット
１３ａ  符号
１４  異形タイルカーペット
１４ａ  符号
１５  敷設方向を示す矢印
２０  タイルカーペット群
２１  標準タイルカーペット
２２  異形タイルカーペット
２２ａ  異形タイルカーペットの裁断面
２４ａ  符号
２５ａ  矢印
Ａ  角度
Ｃ  カメラ
Ｄ  レーザ測定装置
Ｄ１  コントローラ
Ｄ２  ヘッド
Ｆ  床面
Ｇ  障害物
Ｍ  採寸用具
Ｗ  壁面
Ｗ１、Ｗ２  壁面の上下点
【図１】
2018082756.tif 000003
【図２】
2018082756.tif 000004
【図３】
2018082756.tif 000005
【図４】
2018082756.tif 000006
【図５】
2018082756.tif 000007
【図６】
2018082756.tif 000008
【図７】
2018082756.tif 000009
【図８】
2018082756.tif 000010
【図９】
2018082756.tif 000011
【手続補正書】
【提出日】平成29年1月31日(2017.1.31)
【手続補正１】
【補正対象書類名】明細書
【補正対象項目名】０００１
【補正方法】変更
【補正の内容】
【０００１】
この発明は、タイルカーペットを施工業者が単一時間により広い面積への敷込を可能にし又一般家庭でも容易に敷設できるように予め裁断して調製したセットとタイルカーペットセットを調製する方法に関する。
【手続補正２】
【補正対象書類名】明細書
【補正対象項目名】０００４
【補正方法】変更
【補正の内容】
【０００４】
そこで、この発明の課題は、タイルカーペットを手間や熟練を要せず隙間なく床面に敷設できるように予め裁断調製して提供することである。